(57)【要約】【課題】  修正部分のみを強調表示することが可能な検版システムを提供する。【解決手段】  検版システム１は、修正前の製版データ３１と、修正後の製版データ３３とを比較して、相違領域を抽出し、相違領域間の最短距離が一定距離以内である場合は相違領域を結合する。  次に、相違領域４５の一定距離外側の輪郭４９を抽出し、修正後の製版データ３３に輪郭４９を重ねて強調表示する。  このようにして、輪郭を抽出して強調表示することにより、修正した部分の周囲のみを正確に強調表示することができ、作業者は修正箇所を容易に認識できる。【選択図】  図４
2007043449.tif 000002
【特許請求の範囲】
【請求項１】
印刷版作成工程で得られる一対の画像データを比較、表示する検版システムにおいて、
前記一対の画像データの相違領域を抽出する抽出手段と、
前記相違領域が複数ある場合に、前記相違領域を結合する結合手段と、
前記相違領域の周囲を強調表示する強調手段と、
を具備することを特徴とする検版システム。
【請求項２】
前記結合手段は、前記相違領域の最短距離が一定値以下の場合に前記相違領域を結合することを特徴とする請求項１記載の検版システム。
【請求項３】
前記強調手段は、前記相違領域から一定距離外側に輪郭線を生成することを特徴とする請求項１記載の検版システム。
【請求項４】
前記一対の画像データは、
印刷版作成工程における修正前の画像データと、修正後の画像データであることを特徴とする請求項１記載の検版システム。
【請求項５】
印刷版作成工程で得られる一対の画像データを比較、表示する検版方法であって、
前記一対の画像データの相違領域を抽出する工程（ａ）と、
前記相違領域が複数ある場合に、前記相違領域を結合する工程（ｂ）と、
前記相違領域の周囲を強調表示する工程（ｃ）と、
からなることを特徴とする検版方法。
【発明の詳細な説明】
【技術分野】
【０００１】
本発明は、検版システムおよび検版方法に関するものである。
【背景技術】
【０００２】
印刷物は、文字、写真、線画等の画像部品からなり、製版工程では、これらの画像部品を編集して版を作成するが、得られた版が指示通りに作成されているかどうかを検査する必要がある。
【０００３】
この際、指示通りに作成されていない部分がある場合は、版を修正し、修正前と修正後の版を比較し、修正が適正に行われたか否かを判断する。このような作業を検版作業という。
【０００４】
従来、検版作業は目視で行われてきたが、修正箇所の見落とし等の人為的なミスを減らすため、作業の一部を検版システムにより電子化することがある。
【０００５】
図１４〜１６は電子検版の一例を示す図である。
例えば、図１４に示すような、「コ」の字型の図形７１内に矩形の図形７３が配置された版７５ａを、図１５に示すように、図形７１と厚さが異なる図形７１ｂに変更した版７５ｂに修正したとする。
【０００６】
この場合、検版システムは版７５ａと版７５ｂを比較して、異なる領域を相違領域として抽出し、この周囲を矩形７７で強調表示した検版画像７９を生成する（図１６参照）。
【０００７】
このように、修正領域の周辺を矩形で強調表示することにより、作業者は修正された領域を知ることができる。このような検版システムとしては以下のようなものが知られている。
（特許文献１）。
【特許文献１】特許第２８１６０９１号公報
【発明の開示】
【発明が解決しようとする課題】
【０００８】
しかしながら、このような検版システムでは、修正の対象にならない部分が矩形の内部に含まれてしまうため、修正部分がどこなのかわかりにくいという問題があった。
【０００９】
例えば、図１６では、修正の対象とならない図形７３までもが矩形５７の内部に含まれており、図１６を見た作業者は、修正を行った箇所が図形７１なのか、図形７３なのかがわかりにくい。
【００１０】
本発明は、このような問題に鑑みてなされたもので、その目的は修正部分のみを強調表示することが可能な検版システムを提供することにある。
【課題を解決するための手段】
【００１１】
前述した目的を達成するために、第１の発明は、印刷版作成工程で得られる一対の画像データを比較、表示する検版システムにおいて、前記一対の画像データの相違領域を抽出する抽出手段と、前記相違領域が複数ある場合に、前記相違領域を結合する結合手段と、前記相違領域の周囲を強調表示する強調手段と、を具備することを特徴とする検版システムである。
前記結合手段は、前記相違領域の最短距離が一定値以下の場合に前記相違領域を結合してもよい。
前記強調手段は、前記相違領域から一定距離外側に輪郭線を生成する。
前記一対の画像データは、
印刷版作成工程における修正前の画像データと、修正後の画像データである。
【００１２】
第２の発明は、印刷版作成工程で得られる一対の画像データを比較、表示する検版方法であって、前記一対の画像データの相違領域を抽出する工程（ａ）と、前記相違領域が複数ある場合に、前記相違領域を結合する工程（ｂ）と、前記相違領域の周囲を強調表示する工程（ｃ）と、からなることを特徴とする検版方法である。
【発明の効果】
【００１３】
本発明によれば、検版システムが、修正部分のみを強調表示することが可能であるため、作業者の作業負担が軽減される。
【発明を実施するための最良の形態】
【００１４】
以下、図面に基づいて本発明に好適な実施形態を詳細に説明する。図１は、本実施形態に係る検版システム１を示す図であって、図２は図１のサーバ３のハードウェア構成を示す図、図３は図２の端末５ａのハードウェア構成を示す図である。
【００１５】
図１に示すように、検版システム１はサーバ３を有し、サーバ３には端末５ａ、５ｂ、５ｃ、５ｄ、ＲＩＰ（Raster Image Processor）装置７、プリンタ８が接続されている。
【００１６】
サーバ３は後述する検版作業を実際に行うコンピュータである。
端末５ａ、５ｂ、５ｃ、５ｄは、作業者がサーバ３に検版作業の指示を出したり、検版に用いられる製版データをサーバ３に送信したりするためのコンピュータである。
【００１７】
ＲＩＰ装置７は、製版データを解析してＢＭＰ（Bit Map）ファイルに展開する。
プリンタ８は版のデータを印刷する
【００１８】
図２に示すように、サーバ３は、制御部９、記憶装置１１、メディア入出力部１３、通信制御部１５、入力部１７、表示部１９、プリンタポート２１等がバス２３を介して互いに接続されている。また、バス２３は、通信ケーブル２５を介して端末５ａ、５ｂ、５ｃ、５ｄ、ＲＩＰ装置７、プリンタ８と接続されている。
【００１９】
制御部９は、ＣＰＵ（Central Processing Unit）、ＲＯＭ（Read Only Memory）、ＲＡＭ（Random Access Memory）等で構成され、大容量記憶媒体としての記憶装置１１に格納されたプログラムに従って、バス２３を介して接続された各装置を駆動制御する。
【００２０】
記憶装置１１には、サーバ３の各構成部分を駆動制御するための制御プログラム、本発明を実施するための検版プログラムが格納されている。
【００２１】
図３に示すように、端末５ａは、制御部９ａ、記憶装置１１ａ、メディア入出力部１３ａ、通信制御部１５ａ、入力部１７ａ、表示部１９ａ、プリンタポート２１ａ等がバス２３ａを介して互いに接続されている。また、バス２３ａは、通信ケーブル２５ａを介してサーバ３、端末５ｂ、５ｃ、５ｄと接続されている。
【００２２】
制御部９ａは、ＣＰＵ、ＲＯＭ、ＲＡＭ等で構成され、大容量記憶媒体としての記憶装置２１ａに格納されたプログラムに従って、バス２３ａを介して接続された各装置を駆動制御する。
【００２３】
記憶装置１１ａには、端末５ａの各構成部分を駆動制御するための制御プログラムが格納されている。
【００２４】
なお、端末５ｂ、５ｃ、５ｄの構成は端末５ａと同様であるため、説明を省略する。
【００２５】
次に、検版システム１の動作について説明する。図４は検版システム１の動作を示すフローチャートであって、図５〜図１３は図４の各工程を示す図である。
【００２６】
ここでは、図５に示す修正前の製版データ３１と図６に示す修正後の製版データ３３とを比較して検版を行う場合を例にして説明する。
即ち、製版データ３１の「ＡＢ」なる文字を、修正後の製版データ３３では「ＨＩ」に修正しており、この修正箇所を比較して検版を行う。
【００２７】
まず、サーバ３は、修正前の製版データ３１と、修正後の製版データ３３をＲＩＰ装置７を用いてＲＩＰ展開し、ＢＭＰファイルとする（ステップ１０１）。
なお、修正前の製版データ３１と、修正後の製版データ３３は端末５ａ、５ｂ、５ｃ、５ｄからサーバ３に送信される。
【００２８】
次に、サーバ３は、修正前の製版データ３１と、修正後の製版データ３３とを比較して、相違領域４３ａ、４３ｂ、４３ｃ、４３ｄを抽出する（ステップ１０２）。
【００２９】
例えば、図７に示すように、修正前の製版データ３１と、修正後の製版データ３３を重ねあわせてデータ３５とすると、重なりあう領域３７ａ、３７ｂ、３７ｃ、３７ｄ、３７ｅ、３７ｆ、３７ｇ（データが共通している）と、重なり合わない領域３９ａ、３９ｂが生じる。
【００３０】
ここで、重なり合わない領域３９ａ、３９ｂ等を図８に示すように、データ４１で相違領域４３ａ、４３ｂ、４３ｃ、４３ｄとして抽出する。
【００３１】
なお、製版データはＣＭＹＫ（Cyan、Magenta、Yellow、blacK）の４色の分冊データとして存在するため、各色ごとに相違領域を比較抽出し、データ４１で全ての相違領域を合成する。
【００３２】
次に、相違領域４３ａ、４３ｂ、４３ｃ、４３ｄ間の最短距離を測定し（ステップ１０３）、最短距離が一定値以下の場合はステップ１０５に進み、一定距離以上の場合はステップ１０６に進む（ステップ１０４）。
【００３３】
最短距離が一定値（しきい値）以下の場合は、相違領域４３ａ、４３ｂ、４３ｃ、４３ｄ間を結合する（ステップ１０５）。
例えば、最短距離が「２ドット」に指定されている場合は、図９に示すように、距離４４ａ、４４ｂ、４４ｃ、４４ｄは２ドット以内であるため、これらを結合し、図１０に示すように相違領域４５とする。
【００３４】
なお、最短距離のしきい値はサーバ３を用いて任意に設定可能であるが、端末５ａ、５ｂ、５ｃ、５ｄを介して設定を行うことも可能である。
【００３５】
次に、相違領域４５の一定距離外側の輪郭４９を抽出する（ステップ１０６）。
例えば、相違領域から２ドット外側の輪郭を抽出する設定にしている場合は、図１１に示すように、相違領域４５から距離４７（２ドット）外側の輪郭４９を抽出する。
【００３６】
なお、距離４７はサーバ３を用いて任意に設定可能であるが、端末５ａ、５ｂ、５ｃ、５ｄを介して設定を行うことも可能である。
【００３７】
最後に、図１２に示すように、修正後の製版データ３３に輪郭４９を重ねて強調表示する（ステップ１０７）。
なお、輪郭４９の外側（修正していない部分）は半丁表示にするなどして、輪郭４９内が目立つようにする。
【００３８】
作業者はこの強調表示を見ることにより、修正された部分を認識し、修正された部分が意図したものであるかを判断する。
【００３９】
このようにして、輪郭を抽出して強調表示することにより、修正した部分の周囲のみを正確に強調表示することができる。
【００４０】
また、このような輪郭抽出を行うことにより、図１３に示すように、修正箇所が「コ」の字型のような図形７１ｂであっても、正確に輪郭７７ｂを抽出することができる。
【００４１】
なお、修正された部分が意図したものでなかった場合は、製版データの修正を行い、再度検版システムがステップ１０１〜１０７の動作を行って修正箇所の輪郭を抽出し、検版を行う。
一方、修正された部分が意図したものである場合は、修正後の製版データ３３から印刷用の刷版を作成し、印刷を行う。
【００４２】
このように本実施の形態によれば、検版システム１が修正前の製版データ３１と、修正後の製版３３データとを比較して、相違領域４３ａ、４３ｂ、４３ｃ、４３ｄを抽出し、相違領域間を結合して相違領域４５とした後に、相違領域４５の周囲を輪郭４９として抽出して強調表示する。
従って、修正した部分の周囲のみを正確に強調表示することができ、作業者の作業負担を低減することができる。
【００４３】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００４４】
【図１】検版システム１を示す図
【図２】サーバ３のハードウェア構成を示す図
【図３】端末５ａのハードウェア構成を示す図
【図４】検版システム１の動作を示すフローチャート
【図５】図４の各工程を示す図
【図６】図４の各工程を示す図
【図７】図４の各工程を示す図
【図８】図４の各工程を示す図
【図９】図４の各工程を示す図
【図１０】図４の各工程を示す図
【図１１】図４の各工程を示す図
【図１２】図４の各工程を示す図
【図１３】図４の各工程を示す図
【図１４】電子検版の一例を示す図
【図１５】電子検版の一例を示す図
【図１６】電子検版の一例を示す図
【符号の説明】
【００４５】
１…………検版システム
３…………サーバ
５ａ………端末
７…………ＲＩＰ装置
８…………プリンタ
９…………制御部
１１………記憶装置
１３………メディア入出力部
１５………通信制御部
１７………入力部
１９………表示部
２１………プリンタポート
２３………バス
２５………通信ケーブル
３１………修正前の製版データ
３３………修正後の製版データ
４３ａ……相違領域
４５………相違領域
４９………輪郭
７１………図形
７３………図形
７５ａ……版
７７………矩形
７９………検版画像
【図１】
2007043449.tif 000003
【図２】
2007043449.tif 000004
【図３】
2007043449.tif 000005
【図４】
2007043449.tif 000006
【図５】
2007043449.tif 000007
【図６】
2007043449.tif 000008
【図７】
2007043449.tif 000009
【図８】
2007043449.tif 000010
【図９】
2007043449.tif 000011
【図１０】
2007043449.tif 000012
【図１１】
2007043449.tif 000013
【図１２】
2007043449.tif 000014
【図１３】
2007043449.tif 000015
【図１４】
2007043449.tif 000016
【図１５】
2007043449.tif 000017
【図１６】
2007043449.tif 000018